(57)【要約】【課題】コーナー部に設けられ、鉛直方向の上向きまたは下向きに荷重を受けた場合に外れ難い棚を提供する。【解決手段】本発明の実施形態の棚１は、第１壁面から突起するように設けられた第１棚受部２１に取り付けられる第１側辺部１１と、第１壁面との間にコーナー部を形成する第２壁面から突起するように設けられた第２棚受部２２に取り付けられる第２側辺部１２とを備える。第１側辺部１１は、第１壁面の法線方向に第１棚受部２１を挿入して取り付けられている。第２側辺部１２は、上方から第２棚受部２２に嵌め合わせて取り付けられており、第２棚受部２２によって、第１壁面の法線方向への移動が規制されている。【選択図】図４
2018089175.tif 000002
【特許請求の範囲】
【請求項１】
第１壁面から突起するように設けられた第１棚受部に取り付けられる第１側辺部と、前記第１壁面との間にコーナー部を形成する第２壁面から突起するように設けられた第２棚受部に取り付けられる第２側辺部と、を備え、前記コーナー部に配設される棚において、
前記第１側辺部は、前記第１壁面の法線方向に前記第１棚受部を挿入して取り付けられており、
前記第２側辺部は、上方から前記第２棚受部に嵌め合わせて取り付けられており、前記第２棚受部によって、前記第１壁面の法線方向への移動が規制されていることを特徴とする棚。
【請求項２】
前記第２側辺部は、前記第２棚受部の基端側に設けられた嵌合部に嵌め合わされる被嵌合部を有し、前記第２壁面の法線方向への移動が規制されていることを特徴とする請求項１に記載の棚。
【請求項３】
前記嵌合部は、上方に対して凹んだ凹状であり、
前記被嵌合部は、くさび状をなし、前記嵌合部に圧入されていることを特徴とする請求項２に記載の棚。
【発明の詳細な説明】
【技術分野】
【０００１】
本発明は、浴室ユニット等のコーナー部に設けられる棚に関する。
【背景技術】
【０００２】
浴室ユニットは、湯を溜める浴槽と、浴槽の手前側に設けた洗い場床を有し、周囲を壁パネル、上方を天井パネルで覆われている。浴室ユニット内の空間には、浴槽のほか、シャワー装置、カウンターおよび鏡等の備品のほか、壁面のコーナー部分に棚が設けられ、ユーザが入浴時に使用するシャンプー容器などの物品が載せ置かれる。
【０００３】
例えば、特許文献１には、横方向の長孔を有するボス部を備えた取付部材が浴室コーナーを形成する両側の壁にそれぞれ取り付けられ、該両側の取付部材のボス部に引っ掛けられる棚が開示されている。棚は、前端部が前方へ凸状となるように湾曲している。
【先行技術文献】
【特許文献】
【０００４】
【特許文献１】特開２００７−３１３０３２号公報
【発明の概要】
【発明が解決しようとする課題】
【０００５】
特許文献１に記載の棚は、両側の取付部材のボス部に引っ掛けられているため、棚の前側に鉛直方向の上向きまたは下向きに荷重を受けた場合にボス部から外れてしまう可能性があるという問題点があった。
【０００６】
本発明は、斯かる事情に鑑みてなされたものであり、その目的とするところは、コーナー部に設けられ、鉛直方向の上向きまたは下向きに荷重を受けた場合に外れ難い棚を提供することにある。
【課題を解決するための手段】
【０００７】
本発明に係る棚は、第１壁面から突起するように設けられた第１棚受部に取り付けられる第１側辺部と、前記第１壁面との間にコーナー部を形成する第２壁面から突起するように設けられた第２棚受部に取り付けられる第２側辺部と、を備え、前記コーナー部に配設される棚において、前記第１側辺部は、前記第１壁面の法線方向に前記第１棚受部を挿入して取り付けられており、前記第２側辺部は、上方から前記第２棚受部に嵌め合わせて取り付けられており、前記第２棚受部によって、前記第１壁面の法線方向への移動が規制されていることを特徴とする。
【０００８】
本発明にあっては、棚は第１壁面および第２壁面との間に形成されるコーナー部に配設される。棚は第１壁面から突起するように設けられた第１棚受部に第１側辺部が取り付けられ、第１壁面との間にコーナー部を形成する第２壁面から突起するように設けられた第２棚受部に第２側辺部が取り付けられる。第１側辺部は、第１壁面の法線方向に第１棚受部を挿入して取り付けられている。第２側辺部は、上方から第２棚受部に嵌め合わせて取り付けられており、第２棚受部によって、第１壁面の法線方向への移動が規制されている。これにより、棚は、鉛直方向の上向きまたは下向きに荷重を受けた場合に外れ難い。
【発明の効果】
【０００９】
本発明によれば、棚はコーナー部に設けられ、鉛直方向の上向きまたは下向きに荷重を受けた場合に外れ難い。
【図面の簡単な説明】
【００１０】
【図１】実施形態に係る棚を含む浴室ユニットの外観を示す斜視図である。
【図２】棚の外観を示す斜視図である。
【図３】棚の平面図である。
【図４】棚の上方背側から見た斜視図である。
【図５】棚の下方背側から見た斜視図である。
【図６】図３に示すＡ−Ａ線による断面図である。
【図７】棚の第２側辺部側から見た側面図である。
【図８】図７に示すＢ−Ｂ線による断面図である。
【図９】棚の取付方法を説明するための模式図である。
【図１０】棚に下向きの荷重が加わる場合を説明するための模式図である。
【図１１】棚に上向きの荷重が加わる場合を説明するための模式図である。
【図１２】変形例に係る棚の第２棚受部における図８に対応する断面図である。
【発明を実施するための形態】
【００１１】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態）
図１は実施形態に係る棚１を含む浴室ユニット１００の外観を示す斜視図である。浴室ユニット１００は、湯を溜める浴槽９０、該浴槽９０前側に設けた洗い場床８０、壁パネル９１および９２、シャワー装置８１、照明８２、並びに棚１を有する。浴槽９０および洗い場床８０は、四方を壁パネルによって囲まれている。洗い場床８０に接する壁パネル９１には、カウンター８３および鏡８４などのユーザが身体を洗い流す際に利用する備品類が取り付けられている。壁パネル９２は、洗い場床８０に接しており、壁パネル９１に略垂直に端部同士で突き合わされて連結されている。壁パネル９１および９２は、連結された部分においてコーナー部を形成している。天井パネル９３は、壁パネル９１および他の壁パネルの上部に連結し、浴室ユニット１００の上方を覆うように設けられている。
【００１３】
棚１は、壁パネル９１および９２によって形成されるコーナー部に配設されており、上下方向に複数段設けることができる。棚１の前板部１ａは壁パネル９１および９２に対して傾斜しており、浴室ユニット１００の中央部に臨む。尚、本発明に係る棚は、実施形態において浴室ユニット内のコーナー部に配設された例によって説明するが、浴室ユニットに限られることなく、例えば居室や廊下等におけるコーナー部に配設される棚に適用することができる。
【００１４】
照明８２は、三角錐台状であり、壁パネル９１におけるシャワー装置８１が設けられた側と横方向に反対側の他端部の上方における天井パネル９３の隅部に埋設されている。照明８２は、浴室ユニット１００内に臨む透光カバー（図示略）が平面視において直角三角形状としてあり、該透光カバーの斜辺部分が浴室ユニット１００の中央部に臨む。また、カウンター８３は、壁パネル９１および９２によるコーナー部分から浴室ユニット１００の中央に向けて、上面が下方に傾斜する段差部８３ａを有している。照明８２の上記透光カバーの斜辺部分、カウンター８３の段差部８３ａ、および棚１の前板部１ａは、いずれも浴室ユニット１００の中央部に向いており、壁パネル９１および９２で形成されるコーナー部分において形状的な統一感を与えている。
【００１５】
図２は棚１の外観を示す斜視図であり、図３は棚１の平面図である。棚１は、底板１０、第１側辺部１１、および第２側辺部１２を有する。底板１０は、三角形状をなし、前端側が前方に対してやや凹状に湾曲しており、前端から上方に立ち上がる前板部１ａに連続している。前板部１ａは、底板１０の形状に合わせて前方に対してやや凹状に湾曲している。底板１０の背側は、壁パネル９１の壁面９１ａに沿って水平に延びる第１側辺部１１、壁パネル９２の壁面９２ａに沿って水平に延びる第２側辺部１２に連続している。
【００１６】
第１側辺部１１は、底板１０の背側の端部から上方に立ち上がる第１壁部１１ａ、および第１壁部１１ａの上端から水平に壁面９１ａに向って延びる第１フランジ部１１ｂを有する。第２側辺部１２は、底板１０の背側の端部から上方に立ち上がる第２壁部１２ａ、および第２壁部１２ａの上端から水平に壁面９２ａに向って延びる第２フランジ部１２ｂを有する。第１壁部１１ａおよび第２壁部１２ａは、互いに略垂直であり、コーナー側で連続している。同様に、第１フランジ部１１ｂおよび第２フランジ部１２ｂは、互いに略垂直であり、コーナー側で連続している。
【００１７】
前板部１ａは、壁パネル９１側の端部が第３壁部１３に連続している。第３壁部１３は、底板１０における第２側辺部１２側と反対側の端部から上方に立ち上がるように設けられている。第３壁部１３は、壁パネル９１側の端部が第１壁部１１ａに連続している。底板１０は、第１壁部１１ａ、第２壁部１２ａ、前板部１ａ、および第３壁部１３によって囲繞されている。底板１０のコーナー部には水抜き孔１４が設けられている。
【００１８】
第１側辺部１１は、壁パネル９１の壁面９１ａから突起するように設けられた第１棚受部２１（図３参照）に取り付けられる。第２側辺部１２は、壁パネル９２の壁面９２ａから突起するように設けられた第２棚受部２２に取り付けられる。第１棚受部２１は、第１側辺部１１の壁面９１ａに沿う水平方向における両端部に対応する位置に配設されている。第２棚受部２２は、第２側辺部１２の壁面９２ａに沿う水平方向における前板部１ａ側の端部に対応する位置に配設されている。
【００１９】
図４は棚１の上方背側から見た斜視図である。図５は棚１の下方背側から見た斜視図である。尚、図４および図５には、壁面９１ａおよび９１ｂに配設される第１棚受部２１および第２棚受部２２も図示されている。第１側辺部１１は、第１フランジ部１１ｂの壁面９１ａ側の端部から下方に延びる板状の第１背板部１１ｃを有する。第１背板部１１ｃは、第１側辺部１１の壁面９１ａに沿う水平方向における両端部に設けられている。第１背板部１１ｃには、それぞれ第１棚受部２１を壁面９１ａの法線方向に挿入するための円形状の挿入孔１１ｄが設けられている。
【００２０】
第１棚受部２１は、円筒状のボス２１ａをビス２１ｂによって壁面９１ａに固定し、キャップ２１ｃをボス２１ａの先端側に嵌め込む構成としてあり、壁面９１ａからボス２１ａが突起するように設けられている。ボス２１ａの外径寸法は、第１背板部１１ｃに設けた挿入孔１１ｄの内径寸法より小さい。ボス２１ａの外径寸法が挿入孔１１ｄの内径寸法より小さいため、ボス２１ａに対して挿入孔１１ｄが、壁面９１ａに平行な水平軸まわりに相対的に回動し得る。ボス２１ａは、挿入孔１１ｄが壁面９１ａに平行な水平軸まわりに自身に対して相対的に回動した際に、挿入孔１１ｄの内周面がボス２１ａの外周面に当接して回動が停止するように十分な高さを有するものとする。
【００２１】
第２側辺部１２は、第２フランジ部１２ｂの壁面９２ａ側の端部から下方に延びる板状の第２背板部１２ｃを有する。第２背板部１２ｃは、第１側辺部１１側の端部で第１背板部１１ｃに連続している。第２背板部１２ｃには、壁面９２ａに沿う水平方向における前板部１ａ側の端部に下側が開放された切欠部１２ｄが設けられている。切欠部１２ｄは、第１背板部１１ｃが壁面９１ａに接触した状態で、壁面９２ａに配設された第２棚受部２２に対応する位置に設けられている。第２背板部１２ｃは、上方から第２棚受部２２に切欠部１２ｄを嵌め合わせて取り付けられる。
【００２２】
第２棚受部２２は、段付き円筒状のボス２２ａをビス２２ｂによって壁面９２ａに固定し、キャップ２２ｃをボス２２ａの先端側に嵌め込む構成としてあり、壁面９２ａからボス２２ａが突起するように設けられている。ボス２２ａは、基端側の外径寸法が先端側の外径寸法よりも小さく、基端側に後述する嵌合部２２ｄが形成される。第２側辺部１２の第２背板部１２ｃは、切欠部１２ｄの周縁部が嵌合部２２ｄに嵌め合わされる。
【００２３】
図６は、図３に示すＡ−Ａ線による断面図である。第１側辺部１１は、挿入孔１１ｄにボス２１ａが挿入されるようにして第１棚受部２１に取り付けられる。ボス２１ａは、軸方向を含む断面が矩形状であり、対角線の長さ寸法が挿入孔１１ｄの内径寸法よりも大きい。第１フランジ部１１ｂは、ボス２１ａの高さに合わせて第１壁部１１ａと第１背板部１１ｃとの間の幅寸法が設定されている。
【００２４】
図７は、棚１の第２側辺部１２側から見た側面図である。切欠部１２ｄは、ボス２２ａにおける外径寸法が小さい基端側の嵌合部２２ｄに嵌め合わされており、内周面の上部３２ａが嵌合部２２ｄの上部に接触する。第２背板部１２ｃは、切欠部１２ｄの周縁上部の被嵌合部１２ｅにより嵌合部２２ｄに嵌め合う。第２側辺部１２は、切欠部１２ｄの内周面における壁面９１ａ側の側部３２ｂがボス２２ａに接触することによって、壁面９１ａの法線方向への移動が規制される。切欠部１２ｄは、開放端における壁面９１ａ側の縁部３２ｃがテーパ状に切除されている。
【００２５】
図８は、図７に示すＢ−Ｂ線による断面図である。第２背板部１２ｃは、上部から下部に向かうにつれて厚みが小さくなるくさび状としてある。また、図８に示すように嵌合部２２ｄは、上方に対して凹んだ凹状をなす。被嵌合部１２ｅは、下側で嵌合部２２ｄの開口幅より厚みが小さく、上側で嵌合部２２ｄの開口幅より厚みを大きくしてあり、嵌合部２２ｄに圧入されており、嵌合部２２ｄでの摩擦力を生じさせる。
【００２６】
次に、棚１の動作について説明する。図９は、棚１の取付方法を説明するための模式図である。棚１の取付方法は、棚１の第１側辺部１１に第１棚受部２１を挿入して取り付けられる第１工程と、第２側辺部１２を第２棚受部２２に嵌め合わせて取り付けられる第２工程とを備える。なお、第１工程の前に、第１棚受部２１および第２棚受部２２は、それぞれ壁面９１ａおよび９２ａに取り付けられる。
【００２７】
図９（ａ）〜（ｃ）は棚１の取付方法の流れを第２側辺部１２側から見た側面図で示している。図９（ａ）に示すように、第１工程において、前板部１ａが高くなるように棚１を傾け、第２側辺部１２を第２棚受部２２の上方に位置させる。棚１は、第１側辺部１１に第１棚受部２１を壁面９１ａの法線方向に挿入して取り付けられる。このとき、第１棚受部２１は、第１側辺部１１の第１背板部１１ｃに設けた挿入孔１１ｄに挿入される。
【００２８】
続いて、図９（ｂ）に示すように、第２工程において、棚１の前板部１ａを下降させて、第２側辺部１２の切欠部１２ｄが第２棚受部２２に上方から嵌め合わされるようにして取り付けられる。このとき、第２側辺部１２の被嵌合部１２ｅは、第２棚受部２２の嵌合部２２ｄに嵌め合わされ、前板部１ａを押下することによって、嵌合部２２ｄに圧入される。これらの工程によって棚１の取り付けを容易に行うことができ、図９（ｃ）のように第１棚受部２１および第２棚受部２２への棚１の取り付けが完了する。
【００２９】
図１０は、棚１に下向きの荷重が加わる場合を説明するための模式図である。棚１の前板部１ａにおける第２側辺部１２寄りの位置に、下向きの荷重Ｐ１が加わる場合、荷重Ｐ１は、主として第２棚受部２２で支持される。荷重Ｐ１の加わる位置が第２棚受部２２よりも前方であった場合、第１側辺部１１は、上向きの力を受けるが、第１背板部１１ｃに設けた挿入孔１１ｄに第１棚受部２１が挿入されているため、第１棚受部２１から外れ難くなっている。
【００３０】
棚１の前板部１ａにおける第３壁部１３寄りの位置に、下向きの荷重Ｐ２が加わる場合、荷重Ｐ２は、主として第３壁部１３側に設けた第１棚受部２１で支持される。荷重Ｐ２の加わる位置が、壁面９１ａに沿う水平方向において、第３壁部１３側に設けた第１棚受部２１よりも外側であった場合、第１側辺部１１は、第２側辺部１２側で上向きの力を受ける。このとき、第１側辺部１１は、第１背板部１１ｃに設けた挿入孔１１ｄに第２側辺部１２側の第１棚受部２１が挿入されているため、第１棚受部２１から外れ難くなっている。
【００３１】
棚１の底板１０の中央部に下向きの荷重Ｐ３が加わる場合、荷重Ｐ３は、第１側辺部１１の両端部における第１棚受部２１、および第２棚受部２２によって支持される。このとき、第１側辺部１１および第２側辺部１２は、下向きの力を受けており、第１棚受部２１および第２棚受部２２によって支持されるので、第１棚受部２１および第２棚受部２２から外れ難くなっている。
【００３２】
図１１は、棚１に上向きの荷重が加わる場合を説明するための模式図である。棚１は、前板部１ａの第２側辺部１２寄りの位置に上向きの荷重Ｐ４が加わる場合、第１側辺部１１における壁面９１ａに沿う水平軸まわりの下向きモーメントよりも、荷重Ｐ４で生じる上向きモーメントが大きいと、前板部１ａ側が持ち上がる。下向きモーメントは、棚１の自重、積載した重量、および第２棚受部２２の嵌合部２２ｄにおける摩擦力によって生じる。棚１は、前板部１ａ側が持ち上がる際に、第２側辺部１２が第２棚受部２２から上方へ外れ、第１側辺部１１における壁面９１ａに沿う水平軸まわりに上方へ回動する。このとき、第１側辺部１１の第１背板部１１ｃに設けた挿入孔１１ｄの内周面が第１棚受部２１のボス２１ａの外周面に当接することによって、棚１の回動が停止し、第１側辺部１１が第１棚受部２１から外れ難くなっている。
【００３３】
棚１は、前板部１ａの第３壁部１３寄りの位置に上向きの荷重Ｐ５が加わる場合、上述の荷重Ｐ４を受ける場合と同様に、壁面９１ａに沿う水平軸まわりのモーメントによって前板部１ａ側が持ち上がる可能性がある。棚１は、荷重Ｐ４の場合と同様に、第１背板部１１ｃに設けた挿入孔１１ｄの内周面が第１棚受部２１のボス２１ａの外周面に当接することによって、棚１の回動が停止し、第１側辺部１１が第１棚受部２１から外れ難くなっている。また、荷重Ｐ５によって壁面９２ａに沿う水平軸まわりに生じるモーメントは第１側辺部１１の両端部に設けた第１棚受部２１によって支持されるので、第１側辺部１１は、第１棚受部２１から外れ難くなっている。
【００３４】
棚１は、底板１０の中央部に上向きの荷重Ｐ６が加わる場合、上述の荷重Ｐ４を受ける場合と同様に、壁面９１ａに沿う水平軸まわりのモーメントによって前板部１ａ側が持ち上がる可能性がある。棚１は、荷重Ｐ４の場合と同様に、第１背板部１１ｃに設けた挿入孔１１ｄの内周面が第１棚受部２１のボス２１ａの外周面に当接することによって、棚１の回動が停止し、第１側辺部１１が第１棚受部２１から外れ難くなっている。また、荷重Ｐ６によって壁面９２ａに沿う水平軸まわりに生じるモーメントは第１側辺部１１の両端部に設けた第１棚受部２１によって支持されるので、第１側辺部１１は、第１棚受部２１から外れ難くなっている。
【００３５】
一方、棚１は、壁面９１ａの法線方向へ壁面９１ａから離れるような荷重を受けた場合、第２側辺部１２の切欠部１２ｄの内周面における壁面９１ａ側の側部３２ｂがボス２２ａに接触することによって、壁面９１ａの法線方向への移動が規制される。棚１は、壁面９１ａの法線方向への移動が規制されているので、第１側辺部１１における挿入孔１１ｄを第１棚受部２１のボス２１ａの基端部に位置させることができる。これにより、上述の上向きの荷重Ｐ４〜Ｐ６を受ける際に、第１背板部１１ｃに設けた挿入孔１１ｄの内周面を第１棚受部２１のボス２１ａの基端部から先端部側の位置における外周面に確実に当接させることができる。
【００３６】
また、棚１は、壁面９２ａの法線方向へ壁面９２ａから離れるような荷重を受けた場合、第２棚受部２２の基端側に設けられた嵌合部２２ｄに第２側辺部１２の被嵌合部１２ｅが嵌め合わされていることによって、壁面９２ａの法線方向への移動が規制される。
【００３７】
また、第２棚受部２２の嵌合部２２ｄは上方に対して凹んだ凹状をなし、くさび状の被嵌合部１２ｅが嵌合部２２ｄに圧入されている。これにより、第２側辺部１２と壁面９２ａとの間に隙間が生じにくく密着性が高まる。また、第２側辺部１２は、嵌合部２２ｄへの被嵌合部１２ｅの圧入後、嵌合部２２ｄおよび被嵌合部１２ｅ間に摩擦力が生じるので、該摩擦力によって、上向きの荷重Ｐ４〜Ｐ６に抗する下向きのモーメントを発生させることができる。
【００３８】
次に、実施形態の棚１の特徴を説明する。
本発明の実施形態の棚１は、壁面９１ａ（第１壁面）から突起するように設けられた第１棚受部２１に取り付けられる第１側辺部１１と、壁面９１ａとの間にコーナー部を形成する壁面９２ａ（第２壁面）から突起するように設けられた第２棚受部２２に取り付けられる第２側辺部１２とを備える。第１側辺部１１は、壁面９１ａの法線方向に第１棚受部２１を挿入して取り付けられている。第２側辺部１２は、上方から第２棚受部２２に嵌め合わせて取り付けられている。棚１は、第２棚受部２２によって、壁面９１ａの法線方向への移動が規制されている。これにより、棚１は、上向きまたは下向きに荷重を受けた場合に外れ難い。
【００３９】
また棚１は、第２側辺部１２が第２棚受部２２の基端側に設けられた嵌合部２２ｄに嵌め合わされる被嵌合部１２ｅを有する。棚１は、被嵌合部１２ｅが嵌合部２２ｄに嵌め合わされることによって、壁面９２ａの法線方向への移動が規制されている。
【００４０】
また棚１における嵌合部２２ｄは、上方に対して凹んだ凹状である。被嵌合部１２ｅはくさび状をなし、嵌合部２２ｄに圧入されている。これにより、棚１は、第２側辺部１２と壁面９２ａとの間に隙間が生じにくく密着性が高まる。また、棚１は、嵌合部２２ｄおよび被嵌合部１２ｅ間の摩擦力によって、上向きの荷重（例えば図１１に示すＰ４〜Ｐ６）に抗する下向きのモーメントを発生させることができる。
【００４１】
（変形例）
図１２は変形例に係る棚１の第２棚受部２２における図８に対応する断面図である。上述の実施形態では、第２棚受部２２のボス２２ａは段付きとしたが、変形例においては、ボス２２ａは段差のない円筒状としている。
【００４２】
第２側辺部１２の第２背板部１２ｃは、上方から第２棚受部２２に切欠部１２ｄを嵌め合わせて取り付けられる。第２背板部１２ｃは、切欠部１２ｄの周縁部が円筒状の第２棚受部２２に嵌め合わされる。内周面の上部３２ａが第２棚受部２２の上部に接触する。第２側辺部１２は、切欠部１２ｄの内周面における壁面９１ａ側の側部３２ｂが第２棚受部２２に接触することによって、壁面９１ａの法線方向への移動が規制される。
【００４３】
変形例に係る棚１は、壁面９１ａの法線方向へ壁面９１ａから離れるような荷重を受けた場合、切欠部１２ｄの内周面における壁面９１ａ側の側部３２ｂが第２棚受部２２に接触することによって、壁面９１ａの法線方向への移動が規制される。棚１は、壁面９１ａの法線方向への移動が規制されているので、第１側辺部１１における挿入孔１１ｄを第１棚受部２１のボス２１ａの基端部に位置させることができる。これにより、上述の実施形態と同様に、上向きの荷重Ｐ４〜Ｐ６を受ける際に、第１背板部１１ｃに設けた挿入孔１１ｄの内周面を第１棚受部２１のボス２１ａの基端部から先端部側の位置における外周面に確実に当接させることができる。
【００４４】
上述の実施形態においては、棚１の底板１０の前端側および前板部１ａは前方に対して凹状としているが、直線状または凸状としてもよい。また、第１棚受部２１および第２棚受部２２は軸方向の断面形状が円形状であるが、楕円形状や多角形状としてもよく、同様に、第１側辺部１１に設けられる挿入孔１１ｄは、楕円状や多角形状の孔であってもよい。
【００４５】
また上述の実施形態においては、第２棚受部２２は段付きの円筒状のボス２２ａを有し、基端部側に嵌合部２２ｄが設けられている。ボス２２ａの形状を、円筒状、楕円形状または多角形状とし、基端部における上部を切除し、切除された部分によって上方に対して凹んだ凹状の嵌合部２２ｄが形成されるようにしてもよい。
【００４６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４７】
１  棚、  １１  第１側辺部、  １２  第２側辺部、  １２ｅ  被嵌合部、
２１  第１棚受部、  ２２  第２棚受部、  ２２ｄ  嵌合部、
９１ａ  壁面（第１壁面）、  ９２ａ  壁面（第２壁面）。
【図１】
2018089175.tif 000003
【図２】
2018089175.tif 000004
【図３】
2018089175.tif 000005
【図４】
2018089175.tif 000006
【図５】
2018089175.tif 000007
【図６】
2018089175.tif 000008
【図７】
2018089175.tif 000009
【図８】
2018089175.tif 000010
【図９】
2018089175.tif 000011
【図１０】
2018089175.tif 000012
【図１１】
2018089175.tif 000013
【図１２】
2018089175.tif 000014